(57)【要約】【課題】  液体ジェット流の力が低減せず、全体的に柔軟で円滑に操作でき、しかも耐熱性、耐久性に優れ、長時間にわたって使用可能なカテーテルを提供する。【解決手段】  少なくともレーザー光の照射位置近傍であってかつチューブ１０の内面に、レーザー照射に伴う熱に耐え得る高融点であって所定の剛性を有する補強部材１２を設けたので、レーザーの照射が行なわれても、ここで生じた液体ジェット流Ｊの力を補強部材１２が受け、これを弱めることなくカテーテル先端部から噴射することができ、しかも、レーザー照射に伴う熱のカテーテルへの伝達を補強部材１２が遮断するので、カテーテルが変形することもなく、液体ジェット流Ｊがカテーテルの先端から円滑に噴射される。【選択図】            図２
2005152094.tif 000002
【特許請求の範囲】
【請求項１】
レーザー発振器からのレーザー光が導光される光ファイバーが内部に挿通され、当該光ファイバーの先端部から照射されるレーザー光を吸収する所定の液体が充填されるチューブを有し、前記光ファイバーの先端部から照射されたレーザー光により前記液体に液体ジェット流を生じさせ前記チューブの先端部から噴射するようにしたカテーテルにおいて、
少なくとも前記レーザー光の照射位置近傍のチューブの内面に、光ファイバーが発する熱に耐え得る高融点でかつ所定の剛性を有する材料からなる補強部材を設けたことを特徴とするカテーテル。
【請求項２】
前記補強部材は、内面に、前記光ファイバーから出力されるレーザー光を反射する反射層を有することを特徴とする請求項１に記載のカテーテル。
【請求項３】
前記補強部材は、前記光ファイバーの先端部が当るストッパを有するスリーブにより構成したことを特徴とする請求項１又は２に記載のカテーテル。
【請求項４】
前記補強部材は、先細りテーパ状に形成したことを特徴とする請求項１又は２記載のカテーテル。
【請求項５】
前記補強部材は、前記チューブの内面に形成された保護膜層により構成したことを特徴とする請求項１に記載のカテーテル。
【請求項６】
前記保護膜層は、表面が鏡面仕上げされたことを特徴とする請求項５に記載のカテーテル。
【請求項７】
前記補強部材は、コイル状部材により構成したことを特徴とする請求項１又は２に記載のカテーテル。
【請求項８】
前記コイル部材は、前記光ファイバーの先端部が当るように一部を減径した減径部を有することを特徴とする請求項７に記載のカテーテル。
【請求項９】
前記チューブは、前記光ファイバーが挿入される基端部から前記レーザー光の照射位置近傍までの比較的剛性を有する基部剛性部と、前記レーザー光の照射位置近傍より先端までの柔軟先端部とを有し、前記基部剛性部は、当該チューブ内にコイル状部材を設けることにより形成したことを特徴とする請求項１に記載のカテーテル。
【発明の詳細な説明】
【技術分野】
【０００１】
本発明は、血管を閉塞する血栓等を破砕し除去するカテーテルに関する。
【背景技術】
【０００２】
近年、人の血管が閉塞される血栓症の治療を行なう手段として、レーザー光により液体ジェット流を発生させ、物理的に破砕する方法が行なわれている。この治療法は、重篤な副作用がある血栓溶解剤を大量に投与する必要がなく、早期血流再開が可能なことから、血栓症の治療として大いに期待されている。特に、脳組織は、６時間以上虚血状態が続くと、それに伴う神経症状の回復は困難とされているが、発症後数時間で血流再開できると、極めて治療効果の高いものとなる。
【０００３】
下記特許文献１及び非特許文献１では、カテーテル内に挿入した光ファイバーに、レーザー発振器からのレーザーをパルス導光し、当該カテーテル内に充填された生理食塩水を急激に加熱し、液体ジェット流を発生させ、この液体ジェット流の力により血栓を破砕し除去するものが記載されている。
【０００４】
このような方法で使用されるカテーテルは、液体ジェット流に耐える耐圧性、耐久性、剛性を有するものでなければ、所期の目的を達成できないばかりでなく、長期にわたり永続的に使用できない。
【０００５】
しかし、従来のカテーテルは、塩化ビニルやＰＣＢ（ポリクロロビフェニル）等を材料として成形された、長尺な細径のチューブであり、曲がりくねった血管に沿って変形し得るように全体的に柔軟であるため、前記方法で使用すると、柔軟なカテーテルにより液体ジェット流の力が低減される虞がある。
【０００６】
また、細径のチューブ（通常０．９ｍｍ程度）内に、外径（コア径）が０.４ｍｍ程度の光ファイバーを挿入すると、チューブの内面と光ファイバーの外面との間は、極めて小さな間隙が存在するのみとなり、この状態でレーザー光を照射すると、その熱がチューブに伝わり易く、この熱によりチューブが溶融、変形等し、円滑な液体ジェット流の噴射を妨げ、カテーテルの寿命を短くする虞もある。
【特許文献１】特開２００３−１１１７６６号公報（段落番号［００１４］［００１５］、図１参照）
【非特許文献１】日レ医誌第２２巻第３号（２００１）（第２１７頁参照）
【発明の開示】
【発明が解決しようとする課題】
【０００７】
本発明は、上述した課題を解決するためになされたもので、液体ジェット流の力が低減せず、全体的に柔軟で円滑に操作でき、しかも耐熱性、耐久性に優れ、長時間にわたって使用可能なカテーテルを提供することを目的とする。
【課題を解決するための手段】
【０００８】
上記目的を達成するために、本発明に係るカテーテルは、レーザー発振器からのレーザー光が導光される光ファイバーが内部に挿通され、当該光ファイバーの先端部から照射されるレーザー光を吸収する所定の液体が充填されるチューブを有し、前記光ファイバーの先端部から照射されたレーザー光により前記液体に液体ジェット流を生じさせ前記チューブの先端部から噴射するようにしたカテーテルにおいて、少なくとも前記レーザー光の照射位置近傍のチューブの内面に、光ファイバーが発する熱に耐え得る高融点でかつ所定の剛性を有する材料からなる補強部材を設けたことを特徴とする。
【発明の効果】
【０００９】
本発明のカテーテルでは、少なくともレーザー光の照射位置近傍であって、かつ前記チューブの内面に、レーザー照射に伴う熱に耐え得る高融点であって所定の剛性を有する補強部材を設けたので、レーザーの照射が行なわれても、ここで生じた液体ジェット流の力を補強部材が受け、これを弱めることなくカテーテル先端部から噴射することができ、しかも、レーザー照射に伴う熱のカテーテルへの伝達を補強部材が遮断するので、カテーテルの破損、変形等の熱的影響も防止でき、液体ジェット流がカテーテルの先端から円滑に噴射される。また、補強部材を備えていないカテーテルの他の部分（例えば、カテーテルの先端部）は柔軟性を有しているので、細く曲がりくねった血管であっても容易に挿入でき、治療行為も円滑に行なうことができ、さらに、液体ジェット流の力を補強部材が受けるので、長時間にわたり使用可能なカテーテルとなる。
【００１０】
前記補強部材の内面に光反射層を設けると、光ファイバーからでるレーザー光を反射し、レーザー光の吸収による低減を防止し、利用効率を高め、結果的に液体ジェット流の力を高めることができる。
【００１１】
前記補強部材を、光ファイバーの先端部が当るストッパを有するスリーブにより構成すれば、光ファイバーの挿入状態、レーザー照射位置が容易にわかり、操作性が向上する。
【００１２】
前記補強部材を先細りテーパ状に形成すれば、液体ジェット流の力をさらに高めることができる。
【００１３】
前記補強部材を、チューブの内面に形成された保護膜層により構成すれば、薄膜状の補強部材を形成でき、カテーテル内面と光ファイバー外面との隙間も大きくなり、前述した液体ジェット流の力の低減やカテーテルに対する熱的影響をより一層確実に防止できる。
【００１４】
この保護膜層の表面を鏡面仕上げすれば、光ファイバーからでるレーザー光を反射し、一層液体ジェット流の力を高めることができる。
【００１５】
前記補強部材を、コイル状部材により構成すれば、液体ジェット流の力を受ける補強部材までも、柔軟性を有することになり、一層操作性が向上する。また、このコイル部材の一部に減径部を設けると、光ファイバーの先端部が当るストッパとして利用できる。
【００１６】
チューブを、光ファイバーが挿入される基端部からレーザー光の照射位置近傍までを比較的剛性を有する基部剛性部とし、レーザー光の照射位置近傍より先端までの柔軟先端部とすると共に、前記基部剛性部のチューブ内にコイル状部材を設ければ、先端が柔軟で手元が剛性のある操作性のよいカテーテルとなる。
【発明を実施するための最良の形態】
【００１７】
以下、図面を参照して、本発明の実施の形態を詳細に説明する。
【００１８】
＜第１実施形態＞
図１は本発明の第１実施形態全体を示す概略正面図、図２は図１のＡ部拡大断面図である。
【００１９】
図１に示す第１実施形態は、例えば、人の血管が閉塞される血栓症の治療を行なうカテーテル１である。このカテーテル１は、概して、レーザー発振器２からのレーザー光が導光される光ファイバー３が挿通され、かつ術者が操作する手元操作部４と、この手元操作部４に連結され、かつ内部に前記光ファイバー３が挿通されたチューブ１０とを有している。
【００２０】
レーザー発振器２は、公知のものであるため説明は省略するが、手元操作部４は、レーザー発振器２からのレーザー光が導光される前記光ファイバー３が内部に挿通され、該光ファイバー３を位置固定的に保持する保持部材５と、Ｙ字アダプタ６と、ハブ７とから構成され、これらが直列的に連結されている。
【００２１】
前記保持部材５は、手元操作部４の後端部に取付けられ、内部に挿通された光ファイバー３を保持すると共に後述する液体Ｗが漏れないように手元操作部４を封止している。
【００２２】
Ｙ字アダプタ６は、前記チューブ１０内に液体Ｗをシリンジポンプ（図示せず）などにより注入するロート状の注入部６ａと、光ファイバー３が内部を挿通するファイバー通路部６ｂが交差するように設けられている。
【００２３】
前記液体Ｗは、レーザー光のエネルギを吸収することにより気化し得る生理食塩水等に少量の血栓溶解剤が加えられたものであり、レーザー光のエネルギを吸収することにより一部が気化する。この気化により液体Ｗ中には、図２に示すバブルＢが生じ、このバブルＢの急激な膨張により液体Ｗが液体ジェット流となってチューブ１０から噴射される。
【００２４】
前記ハブ７は、先端ほど細径とされた筒体であり、このハブ７の先端にチューブ１０の基端部が取付けられている。このハブ７内を通った光ファイバー３と液体Ｗは、先端部に取付けられたチューブ１０内に導入される。
【００２５】
このチューブ１０は、細く曲がりくねった血管であっても容易に挿入できるように、全体的には細くて柔軟であるが、強度も有するものである。
【００２６】
このような柔軟で強度も有する材料としては、例えば、１層のＨＤＰＥ（High Density Polyethylene）あるいは２層のＬＬＤＰＥ（Linear Low Density Polyethylene）がある。ただし，これのみでなく、例えば、ポリ塩化ビニル、ポリエチレン、ポリプロピレン、エチレン−プロピレン共重合体、エチレン−酢酸ビニル共重合体等のポリオレフィン、ポリエチレンテレフタレート、ポリブチレンテレフタレート等のポリエステル、ポリスチレン、ポリウレタン、ポリアミド、ポリイミド、ポリオキシメチレン、ポリビニルアルコール、ポリテトラフルオロエチレン、ポリフッ化ビニリデン、その他フッ素系樹脂等の各種熱可塑性樹脂や熱硬化性樹脂、ポリアミドエラストマー、ポリエステルエラストマー等の熱可塑性エラストマー、シリコーンゴム、ラテックスゴム等の各種ゴムも使用できる。
【００２７】
本実施形態のチューブ１０は、先端部近傍に、光ファイバー３の先端部からレーザー光を照射するレーザー照射部１１が設けられているので、ハブ７と連結される基端部からこのレーザー照射部１１までは、操作性の面から比較的剛性を有する基部剛性部１０ａとされ、レーザー照射部１１から先端部までは、体内挿入時に血管内面の傷付きを防止するために柔軟に形成された柔軟先端部１０ｂとされている。
【００２８】
このような基部剛性部１０ａを形成するには、タングステン等の補強線材を入れるなどの手段があるが、弾性の高い金属材料、例えば、ステンレスあるいは超弾性合金（例えば、Ｎｉ−Ｔｉ合金）等により構成されたコイル状部材（図示せず）を内面に設けることにより形成すると、より好ましい。
【００２９】
前記レーザー照射部１１は、チューブ１０内であれば、どこにあっても良いが、本実施形態では、図２に示すように、チューブ１０の基部剛性部１０ａの先端部分、つまり、基部剛性部１０ａと柔軟先端部１０ｂとの間に設けられている。
【００３０】
なお、先端柔軟部１０ｂの長さは、挿入される生体部位によっても異なるが、例えば、頭蓋内血管（脳血管）内の血栓を破砕する場合は、５〜５０ｃｍ程度とすることが好ましい。より好ましくは、１０〜３０ｃｍ程度である。
【００３１】
レーザー照射部１１は、チューブ１０の内面に補強部材１２が設けられている。レーザー照射部１１は、カテーテル１内に充填された液体Ｗに吸収されやすい波長のレーザーを、光ファイバー３の先端からパルス的に照射し、液体Ｗを急激に加熱して、気泡（バブルＢ）を発生させ、液体ジェット流Ｊを噴射する部分である。したがって、光ファイバー３の先端近傍に対応するチューブ１０の内面は、高温と、バブルＢの急激な発生による加圧力が作用することになる。
【００３２】
このため、本実施形態のレーザー照射部１１は、チューブ１０の内面に補強部材１２を設け、高温と加圧力が比較的柔軟なチューブ１０に直接作用しないようにしている。
【００３３】
ここに、補強部材１２とは、チューブ１０の内面に取付けることができるものであればどのようなものであってもよいが、図示実施形態のものでは、金属製スリーブ１２ａをチューブ１０の内面に圧着している。
【００３４】
この金属製スリーブ１２ａとしては、光ファイバー３の先端から照射されるレーザー光の熱に耐え得る程度の高融点を有する材料、例えば、ステンレス、タングステン、ニッケル、インコネル等を使用することが好ましく、また、これら材料は、バブルＢの発生に伴って生じる衝撃的な加圧力にも対抗でき、より好ましいものである。
【００３５】
さらに、この金属製スリーブ１２ａを、Ｘ線等の放射線を実質的に透過しない放射線不透過性材料（例えば金、銀、白金、タングステン、パラジウムまたはそれらの合金等）で構成するかあるいは設ければ、いわゆるマーカーとして機能し、生体内でのレーザー照射部１１の血管内挿入位置をＸ線等の照射により確認でき、利便性が向上する。
【００３６】
この金属製スリーブ１２ａには、先端に段部１３と突部１４が形成されている。この段部１３は、光ファイバー３をチューブ１０内に挿入するときのストッパとして機能するもので、チューブ１０内に挿入する光ファイバー３の照射位置を確認でき、実用的効果が高く、術者にとって利便性の高いものである。また、突部１４は前記柔軟先端部１０ｂの連結部として使用する。
【００３７】
金属製スリーブ１２ａには、光ファイバー３から照射されるレーザー光を反射する反射層１５を内面に形成することが好ましい。このような反射層１５を形成すれば、照射されたレーザー光が金属製スリーブ１２ａに吸収されることを防止し、レーザー光の利用効率を高め、結果的に液体ジェット流の力を高めることもできる。
【００３８】
この反射層１５は、金属製スリーブ１２ａの内面処理により形成するが、内面処理法としては、例えば、ＤＬＣ（Diamond Like Carbon）、メッキ等によるコーティング、セラミックコート、金や銀等のコーティング、鏡面処理などが好ましい。
【００３９】
次に、本実施形態の作用を説明する。
【００４０】
まず、術者は、手元操作部４に光ファイバー３を挿通し、チューブ１０を通って先端が金属製スリーブ１２ａの段部１３に当接するまで挿入する。一方、手元操作部４のＹ字アダプタ６の注入部６ａから液体Ｗをシリンジポンプによってチューブ１０内に常時供給し充填する。液体Ｗが満液状態になったか否かは、チューブ１０の柔軟先端部１０ｂから排出されたか否かにより分かる。
【００４１】
この状態で、術者は、手元操作部４を持って、カテーテル１を血管内に挿入する。この場合、手元操作部４とチューブ１０の基部剛性部１０ａは、比較的剛性があるので、長尺なカテーテル１であっても操作しやすい。この挿入時には、Ｘ線照射を行い、生体内での金属製スリーブ１２ａの位置をＸ線不透過性であるマーカーにより確認しつつ行なうことが好ましい。
【００４２】
金属製スリーブ１２ａが血管内所定位置に到達すると、レーザー照射部１１も所定位置に到達したことになるので、レーザー発振器２を動作すると、パルスレーザー光が光ファイバー３を通り、液体Ｗに照射される。
【００４３】
なお、上記の操作手順に代えて、ガイドワイヤー（図示せず）をカテーテル１内に挿入し、通常のカテーテル操作と同様、ガイドワイヤーを先行させつつ、このガイドワイヤーに沿わせてカテーテル１を血管内に挿入した後、ガイドワイヤーと光ファイバー３を交換し、パルスレーザー光を光ファイバー３から照射してもよい。
【００４４】
このレーザー光の照射は、金属製スリーブ１２ａ内で行なわれる。液体Ｗは、パルスレーザー光により急激に加熱され、バブルＢが間欠的に発生し、これにより補強部材１２内の液体Ｗが急激に金属製スリーブ１２ａの出口を通って流出し、いわゆる液体ジェット流Ｊとなって柔軟先端部１０ｂから間欠的に噴射される。
【００４５】
この場合、光ファイバー３の先端に対応するチューブ１０の内面には、高温と、バブルＢの急激な発生による加圧力が作用することになるが、本実施形態では、ここに金属製スリーブ１２ａが設けられているので、前記高温がチューブ１０を直接伝達したり、バブルＢの急激な発生による加圧力がチューブ１０に直接作用することはない。
【００４６】
この結果、チューブ１０内で発生したバブルＢは、殆どが液体Ｗを押し出す力として作用し、液体ジェット流Ｊが前方の血栓に向かって噴射される。したがって、血管内の血栓は、この強力な液体ジェット流Ｊの衝突と、血栓溶解剤の補助により破砕され、血液の再還流が開始することになる。
【００４７】
＜第２実施形態＞
図３は本発明の第２実施形態を示すチューブの断面図である。なお、前記図１，２と共通する部材には同一符号を付し、説明は省略する。
【００４８】
前記実施形態の補強部材１２は、金属製スリーブ１２ａの内面にレーザー光を反射する反射層１５を有しているが、レーザー光の性質からすれば、必ずしも反射層１５を形成する必要がない場合もある。また、マーカーなどを使用すれば、レーザー照射位置も容易に分かるので、段部１３や突部１４も形成することなく、直管の金属製スリーブ１２ａを使用しても良い。
【００４９】
このため、本実施形態では、多少効率は低下するものの、補強部材１２を反射層１５のない金属製スリーブ１２ａのみにより形成し、これを直管のチューブ１０ａ内に設けている。
【００５０】
＜第３実施形態＞
図４は本発明の第３実施形態を示すチューブの断面図である。前記第２実施形態の金属製スリーブ１２ａは、断面円筒状の直管であるが、これのみでなく、先細りのテーパ状としてもよく、一端部と他端部で径の異なる管であってもよい。
【００５１】
テーパ状にすると、液体ジェット流Ｊが金属製スリーブ１２ａにより更に流速が高められ、より強烈に血栓に向かって噴射され、これを破砕し、血液の再還流を開始させることができる。
【００５２】
＜第４実施形態＞
図５は本発明の第４実施形態を示すチューブの断面図である。前記実施形態の補強部材１２は、チューブ１０の内面に金属製スリーブ１２ａを設けたものであるが、この補強部材１２は、光ファイバー３が発する熱に耐え得る高融点でかつ所定の剛性を有するものであればよいので、本実施形態では、チューブ１０の内面に直接保護膜層１２ｂを形成することにより前記補強部材１２としている。
【００５３】
この保護膜層１２ｂとしては、チューブ１０の内面に直接処理を施すことにより形成する。この内面処理法としては、前記反射層１５と同様、例えば、ＤＬＣ（Diamond Like Carbon）、メッキによるコーティング、鏡面処理などを使用できる。
【００５４】
＜第５実施形態＞
図６は本発明の第５実施形態を示すチューブの断面図である。前記実施形態の補強部材１２は、チューブ１０の内面に薄い肉厚のスリーブ１２ａあるいは保護膜層１２ｂを設けたものであるが、チューブ１０の柔軟性が部分的ではあるが阻害される可能性があるので、本実施形態では、コイル状部材１２ｃにより補強部材１２を構成している。
【００５５】
コイル状部材１２ｃの具体例としては、直径あるいは厚さが０．００１〜０．５ｍｍのステンレス鋼、ピアノ線等が中空のコイル状に形成されたものである。放射線造影マーカーとして機能するように、放射線不透過性材料またはこのような材料を一部に有するものにより構成してもよい。また、前記光ファイバー３の先端部が当るストッパとして機能するように、コイル部材１２ｃの先端若しくは一部のコイルを減径して減径部１６を形成してもよい。
【００５６】
さらに、比較的剛性のあるチューブ１０とし、操作性を高めるには、前記基部剛性部１０ａのチューブ１０内に前記コイル状部材１２ｃを設けてもよい。つまり、手元操作部４からレーザー照射部１１までのチューブ１０全体に前記コイル状部材１２ｃを設け、剛性を高めてもよい。
【００５７】
このように構成したカテーテル１は、治療時に、手元操作部４やチューブ１０等に軸直角方向変位や、捩り等が加えられても、手元操作部４からレーザー照射部１１までチューブ１０内にコイル部材１２ｃが設けられているので、外力に対する強度があり、カテーテル１の折れ曲がりや破損が防止乃至抑制され、チューブ１０のキンクや破損等も生じることはない。
【００５８】
＜実験例＞
更に、実験により検証された結果に基づいて詳述する。前記金属製スリーブ１２ａは、ステンレスを使用し、光ファイバー３の先端を金属製スリーブ１２ａに軸方向略中心に位置した状態でレーザー照射を開始することとした。
【００５９】
この場合の光ファイバー３は、外径（コア径）が０．２〜０．４ｍｍのものを使用し、レーザー発振器２から２．１μ波長のホルミニウム・ヤグレーザーであって、３００〜３５０ｍＪ／パルスという強さのパルスレーザー光を、ウロキナーゼを溶解させた生理食塩水に照射することとした。柔軟先端部１０ｂの長さは２０ｃｍとした。
【００６０】
内径が０．４〜０．９ｍｍの金属製スリーブ１２ａの肉厚ｔは、５０μｍ〜０．３ｍｍ程度で、長さＬは、１０〜５０ｍｍ程度であれば良好な結果が得られた。つまり、液体ジェット流Ｊの速度が、５ｍ／ｓｅｃという相当速い噴射速度が得られた。これは、十分血栓を破砕することができるものである。
【００６１】
本発明は、上述した実施形態のみに限定されるものではなく、本発明の技術的思想内において当業者により種々変更が可能である。例えば、前記カテーテルは、補強部材１２をチューブの先端近傍に設けたものであるが、手元操作部近傍に設けても良い。また、血栓の破砕のみに使用するものでのみでなく、他のもの、例えば、レーザーメスなどとしても使用することができる。さらに、前記補強部材１２は、断面形状が円環状であるが、これ以外の断面形状、例えば、矩形、楕円形等の管、いわゆる異形管であってもよい。
【産業上の利用可能性】
【００６２】
本発明は、カテーテル内に充填された液体に吸収されやすい波長のレーザーを、光ファイバーの先端からパルス的に照射し、液体を急激に加熱して、バブルを発生させ、これにより生じた液体ジェット流により血栓を破砕する治療器具として利用できる。
【図面の簡単な説明】
【００６３】
【図１】本発明の第１実施形態全体を示す概略正面図である。
【図２】図１のＡ部拡大断面図である。
【図３】本発明の第２実施形態を示すチューブの断面図である。
【図４】本発明の第３実施形態を示すチューブの断面図である。
【図５】本発明の第４実施形態を示すチューブの断面図である。
【図６】本発明の第５実施形態を示すチューブの断面図である。
【符号の説明】
【００６４】
１…カテーテル、
２…レーザー発振器、
３…光ファイバー、
１０…チューブ、
１０ａ…基部剛性部、
１０ｂ…柔軟先端部、
１２…補強部材、
１２ａ…金属製スリーブ、
１２ｂ…保護膜層、
１２ｃ…コイル状部材、
１３…段部（ストッパ）、
１５…反射層、
１６…減径部、
Ｊ…液体ジェット流、
Ｗ…液体。
【図１】
2005152094.tif 000003
【図２】
2005152094.tif 000004
【図３】
2005152094.tif 000005
【図４】
2005152094.tif 000006
【図５】
2005152094.tif 000007
【図６】
2005152094.tif 000008